(57)【要約】【課題】本発明は、操作が便利な電源投入用制御回路を提供することを目的とする。【解決手段】本発明の電源投入用制御回路は、マイクロフォンと、音声処理回路及びレベル変換回路とを備え、前記マイクロフォンは、ユーザーの音声信号を採取し、前記音声処理回路は、音声制御スイッチを備え、前記音声制御スイッチは、音声入力ピンと、信号出力ピンとを備え、前記音声入力ピンは、前記マイクロフォンと電気的に接続し、前記音声制御スイッチは音声を識別し、且つ該音声の波形に対応して前記信号出力ピンによって高レベル信号を出力し、前記レベル変換回路は、前記音声制御スイッチが出力した該高レベル信号を受信した後、該高レベル信号を変換し、且つ電子装置のメインボードに低レベル信号を出力して、該電子装置のスイッチを制御することを特徴とする。【選択図】図１
2013117954.tif 000002
【特許請求の範囲】
【請求項１】
電子装置に用いられる電源投入用制御回路において、前記電源投入用制御回路は、マイクロフォンと、音声処理回路と及びレベル変換回路とを備え、前記マイクロフォンは、ユーザーの音声信号を採取し、前記音声処理回路は、音声制御スイッチを備え、該音声作動ボタンは、音声入力ピンと、信号出力ピンとを備え、前記音声入力ピンは、前記マイクロフォンと電気的に接続され、前記音声作動ボタンは音声を識別し、且つ該音声の波形に対応して前記信号出力ピンによって高レベル信号を出力し、前記レベル変換回路は、前記音声作動ボタンが出力した該高レベル信号を受信した後該高レベル信号を変換し、且つ電子装置のメインボードに低レベル信号を出力して、該電子装置のスイッチを制御することを特徴とする電源投入用制御回路。
【請求項２】
前記レベル変換回路はバイポーラトランジスタを備え、該バイポーラトランジスタは、ベースと、エミッタ及びコレクタとを備え、前記ベースと前記号出力ピンとは電気的に接続され、前記エミッタはアースし、前記コレクタと電源とが電気的に接続することを特徴とする請求項１に記載の電源投入用制御回路。
【請求項３】
前記音声処理回路は、さらに第一静電容量と、第一抵抗器とを備え、前記音声入力ピン、前記第一抵抗器、前記第一静電容量、前記マイクロフォンの順に電気的に接続することを特徴とする請求項１又は２に記載の電源投入用制御回路。
【請求項４】
前記レベル変換回路はダイオードを備え、前記ダイオードの陰極と、前記音声制御スイッチの信号出力ピンとが電気的に接続し、前記ダイオードの陰極と前記バイポーラトランジスタのベースとが電気的に接続することを特徴とする請求項１〜３のいずれか一項に記載の電源投入用制御回路。
【請求項５】
前記電源投入用制御回路は、さらに電源ボタンと、ゲートとを備え、前記電源ボタンは、押されると、低レベル信号を出力し、前記ゲートは、二つの入力端子と、出力端子とを備え、前記入力端子はそれぞれ前記バイポーラトランジスタのコレクタと、電源ボタンとに電気的に接続し、二つの前記入力端子において、少なくとも何れか一つの入力端子が低レベル信号を受信した際、前記出力端子は低レベル信号を出力することを特徴とする請求項１〜４のいずれか一項に記載の電源投入用制御回路。
【発明の詳細な説明】
【技術分野】
【０００１】
本発明は、制御回路、特に音声によって電子装置の電源投入を制御する電源投入用制御回路に関するものである。
【背景技術】
【０００２】
現在、パソコンや、サーバなどの電子装置を駆動させる際、毎回電源ボタンを押して駆動させる。また、一般的に、サーバは、操作端末の近くには設置されず、専用の機械室に設置される。従って、電子装置を駆動させる際、操作員が先ず機械室に行って、電源ボタンを押さなければならないので、操作が実に不便である。
【発明の概要】
【発明が解決しようとする課題】
【０００３】
以上の問題点に鑑みて、本発明は、操作が便利な制御回路を提供することを目的とする。
【課題を解決するための手段】
【０００４】
電子装置に用いられる電源投入用制御回路において、前記制御回路は、マイクロフォンと、音声処理回路と及びレベル変換回路とを備え、前記マイクロフォンは、ユーザーの音声信号を採取し、前記音声処理回路は、音声制御スイッチを備え、該音声制御スイッチは、音声入力ピンと、信号出力ピンとを備え、前記音声入力ピンは、前記マイクロフォンと電気的に接続され、前記音声制御スイッチは音声を識別し、且つ該音声の波形に対応して前記信号出力ピンによって高レベル信号を出力し、前記レベル変換回路は、前記音声制御スイッチが出力した該高レベル信号を受信した後該高レベル信号を変換し、且つ電子装置のメインボードに低レベル信号を出力して、該電子装置のスイッチを制御する。
【発明の効果】
【０００５】
本発明に係る電源投入用制御回路は、マイクロフォンによって音声信号を採取し、音声制御スイッチＵ１によって、音声を識別した後、該音声を調整して高レベル信号を出力する。レベル変換回路３０は、音声制御スイッチＵ１が出力した該高レベル信号を低レベル信号に変換して、電子装置の電源投入スイッチを制御する。これにより、制御回路は、従来技術である電源ボタンによって電子装置の駆動を制御することを利用して、音声によって該電子装置の駆動を制御することができる。つまり、ユーザーは、直接機械室に入らずとも、制御室のマイクロフォンを使用して電源ボタンによって電子装置を駆動させることができるので、操作が便利である。
【図面の簡単な説明】
【０００６】
【図１】本発明に係る電子装置の電源投入を制御する電源投入用制御回路の回路図である。
【発明を実施するための形態】
【０００７】
以下、図面に基づいて、本発明に係る電子装置の電源投入を制御する電源投入用制御回路について詳細に説明する。
【０００８】
図１に示したように、本発明に係る制御回路１００は、パソコン、サーバなどの電子装置（図示せず）に用いられ、該電子装置の電源投入を制御する。前記制御回路１００は、マイクロフォン１０と、音声処理回路２０と、レベル変換回路３０と、電源ボタン４０と、ゲート５０及びトリガー６０と、を備える。音声処理回路２０と、レベル変換回路３０と、前記ゲート５０及びトリガー６０とは、電子装置のメインボードに集積されている。ユーザーが容易に制御できるように、マイクロフォン１０は制御室に設置することができる。また、該マイクロフォン１０は、回路を介して音声処理回路２０と電気的に接続され,且つユーザーの音声信号を採取した後、該音声信号を音声処理回路２０に送信する。
【０００９】
音声処理回路２０は、ユーザーの音声信号に基づいて、高レベル信号を出力し、且つ音声制御スイッチＵ１と、第一静電容量Ｃ１と、第一抵抗器Ｒ１と、第二抵抗器Ｒ２と、第三抵抗器Ｒ３及び第二静電容量Ｃ２と、を備える。
【００１０】
音声制御スイッチＵ１は、音声と外部との雑音を識別し、且つ電源ピンＶと、アースピンＧＮＤと、音声入力ピンＩＮ及び信号出力ピンＯと、を備える。電源ピンＶと電源ＶＣＣとが電気的に接続されることで、音声制御スイッチＵ１は電圧を獲得する。音声入力ピンＩＮは、第一抵抗器Ｒ１、第一静電容量Ｃ１、マイクロフォン１０の順に、これらと電気的に接続し、音声制御スイッチＵ１は、マイクロフォン１０によって採取した音声信号を獲得する。第二静電容量Ｃ２は、第二抵抗器Ｒ２の一端と第三抵抗器Ｒ３の一端とに接続し、第二抵抗器Ｒ２の別の一端は、電源ＶＣＣと電気的に接続し、第三抵抗器Ｒ３の別の一端はアースする。また、第一静電容量Ｃ１とマイクロフォン１０とが接続する中間端は、第二静電容量Ｃ２と第二抵抗器Ｒ２との中間に電気的に接続される。
【００１１】
第三抵抗器Ｒ３の抵抗値を制御することを通して、音声制御スイッチＵ１の音声識別の音圧レベル或いは音圧レベルの範囲を設定することができる。例えば、音声制御スイッチＵ１の音声識別の音圧レベルを６０ｄＢと設定し、該音声が６０ｄＢより高い或いは等しい場合、音声制御スイッチＵ１は、該音声がユーザーの音声であると判断する。また、該音声が６０ｄＢより低い場合、音声制御スイッチＵ１は、該音声は外部の雑音であると判断する。また、音声制御スイッチＵ１の音声識別の音圧レベルを５０−７０ｄＢと設定し、該音声が５０ｄＢより高い或いは等しく、且つ７０ｄＢより低い或いは等しい場合、音声制御スイッチＵ１は、該音声がユーザーの音声であると判断する。また、該音声が５０ｄＢより低い或いは７０ｄＢより高い場合、音声制御スイッチＵ１は、該音声は外部の雑音であると判断する。
【００１２】
該音声識別の音圧レベル或いは音圧レベルの範囲の設定は、環境によって設定することができる。
【００１３】
音声制御スイッチＵ１は、ユーザーの音声を識別した後、該音声の波形を調整する。ユーザーが、マイクロフォン１０によって録音する際、急激に高くなったパルス信号が発生する。この際、音声制御スイッチＵ１は、該パルス信号を高レベル信号に調整し、且つ信号出力ピンＯによって出力する。
【００１４】
レベル変換回路３０は、音声制御スイッチＵ１が出力した高レベル信号を変換する。また該音声制御スイッチＵ１は、ダイオードＤと、第三静電容量Ｃ３及びバイポーラトランジスタＱとを備える。ダイオードＤの陽極と、音声制御スイッチＵ１の信号出力ピンＯとは電気的に接続する。バイポーラトランジスタＱは、ベースＢと、エミッタＥ及びコレクタＣとを備え、ベースＢとダイオードＤの陰極とは電気的に接続され、エミッタＥはアースし、コレクタＣと電源ＶＣＣとは電気的に接続される。第三静電容量Ｃ３の一端は、ベースＢと電気的に接続し、別の一端はアースする。信号出力ピンＯが出力した高レベル信号は、ダイオードＤを通った後、バイポーラトランジスタＱと導通し、この際、コレクタＣの電圧は低くなり、低レベル信号を出力する。また、同時に、ダイオードＤの設置により、音声制御スイッチＵ１を保護するので、電源ＶＣＣが急激に変化して故障する恐れはない。
【００１５】
電源ボタン４０は、従来の電子装置の電源ボタンであり、電源ボタン４０を押すと、電源ボタン４０は低レベル信号を出力する。
【００１６】
ゲート５０は、二つの入力端子５１、５２と出力端子５３とを備え、入力端子５１はバイポーラトランジスタＱのコレクタＣと電気的に接続して、コレクタＣが出力した低レベル信号を受信する。また、入力端子５２と電源ボタン４０とは互いに電気的に接続して、電源ボタン４０が出力した低レベル信号を受信する。二つの入力端子５１、５２において、少なくとも何れか一つが低レベル信号を受信した際、出力端子５３も低レベル信号を出力する。
【００１７】
トリガー６０は、電源ボタン４０が出力した低レベル信号の波形の乱れを濾過する。本発明の実施形態について、トリガー６０はシュミットトリガであり、入力ピン６１と出力ピン６２とを備える。入力ピン６１は、ゲート５０の出力端子５３と電気的に接続されて、出力端子５３が出力した低レベル信号を受信する。低レベル信号が、電源ボタン４０によって出力された際、トリガー６０は、低レベル信号を濾過して、電源ボタン４０の入力によって生成された波形の乱れを抑制することができる。出力ピン６２は、電子装置のメインボードと電気的に接続されて、該メインボードに低レベル信号を送信し、サウスブリッジとメインボードとによって電子装置のスイッチを制御する。 
【００１８】
電子装置を駆動させる際、先ず、ユーザーは、制御室内のマイクロフォン１０によって音声を録音する。しかし、この際、該音声は、予定の音声の限界振動数或いは限界振動数の範囲内にあることが必要であり、音声制御スイッチＵ１にユーザーの音声を識別させる。次に、音声制御スイッチＵ１は、該音声を高レベル信号に変換し、且つ信号出力ピンＯによって、バイポーラトランジスタＱのベースＢに出力した後、バイポーラトランジスタＱと導通し、この際、コレクタＣはゲート５０の入力端子５１に低レベル信号を出力する。また、同時に、ゲート５０の出力端子５３は、低レベル信号を出力し、トリガー６０も電子装置のメインボードに低レベル信号を出力して、該電子装置のスイッチを制御する。
【００１９】
ユーザーが直接に電源ボタン４０を押して、該電子装置を駆動させるのは、従来の技術と同じであるので、ここでの説明は省略する。
【００２０】
本発明の制御回路１００において、マイクロフォン１０、音声処理回路２０及びレベル変換回路３０は、独立して設置することができるので、電源ボタン４０、ゲート５０及びトリガー６０は省略することができる。また、レベル変換回路３０が出力した低レベル信号は、直接にメインボードに送信することができるため、電子装置のスイッチを制御することができる。
【００２１】
また、バイポーラトランジスタＱは、外部の逆電圧の作用を有する電子部品に置換することができる。例えば、ＮチャネルのＭＯＳＦＥＴである。
【００２２】
本発明の制御回路１００は、マイクロフォン１０によって音声信号を採取し、音声制御スイッチＵ１によって、音声を識別した後、該音声を変換して高レベル信号を出力する。レベル変換回路３０は、音声制御スイッチＵ１が出力した該高レベル信号を低レベル信号に変換して、電子装置のスイッチを制御する。これにより、制御回路１００は、従来の技術である電源ボタン４０によって電子装置の駆動を制御することを利用して、音声によって該電子装置の駆動を制御することができる。つまり、ユーザーは、直接機械室に入らずとも、制御室のマイクロフォン１０を使用して電源ボタン４０によって電子装置を駆動させることができるので、操作が便利である。
【符号の説明】
【００２３】
１００        制御回路
１０          マイクロフォン
２０          音声処理回路
３０          レベル変換回路
Ｕ１          音声制御スイッチ
Ｃ１          第一静電容量
Ｒ１          第一抵抗器
Ｒ２          第二抵抗器
Ｒ３          第三抵抗器
Ｃ２          第二静電容量
Ｖ            電源ピン
ＧＮＤ        アースピン
ＩＮ          音声入力ピン
Ｏ            出力信号出力ピン
ＶＣＣ        電源
Ｄ            ダイオード
Ｃ３          第三静電容量
Ｑ            バイポーラトランジスタ
Ｂ            ベース
Ｃ            コレクタ
Ｅ            エミッタ
４０          電源ボタン
５０          ゲート
５１、５２    入力端子
５３          出力端子
６０          トリガー
６１          入力ピン
６２          出力ピン
【図１】
2013117954.tif 000003